(57)【要約】【課題】  商品の梱包に使用する商品保護枠として、未使用時の折畳み形態から使用時の製品収容凹所を備える箱枠形態に簡単な操作で容易に組み立てることができ、箱枠形態での剛性が大きく形態安定性に優れ、商品を適度な緩衝状態で確実に固定できるものを提供する。【解決手段】  左右側板部４，５間に上中下３段の水平板部１〜３が平行配置し、使用状態で中間水平板部２を底面として上方に開く製品収容凹部Ｈ１〜Ｈ３を備えた箱枠形態をなし、未使用状態で全体が平行四辺形状に偏平化した折畳み形態にでき、下側水平板部１に設けた支持片９〜１０と上側水平板部３に設けた支持片１７〜２４の先端部を中間水平板部２の差込み口１４ａ，１４ｃに挿嵌することにより、使用状態における中間水平板部２と上下両側の水平板部３，１とが相互に繋がるように構成されている。【選択図】        図４
2006016040.tif 000002
【特許請求の範囲】
【請求項１】
左右側板部間に少なくとも上中下３段の水平板部が平行配置され、使用状態で中間の水平板部を底面として上方に開く製品収容凹部を備えた箱枠形態をなすと共に、未使用状態で全体が平行四辺形状に偏平化した折畳み形態になし得る商品保護枠であって、
使用状態における中間の水平板部とその上下両側に対向する水平板部とが、それぞれ対向する一方側に設けた支持片の先端部を他方側に設けた差込み口に挿嵌することにより、前記の左右側板部から離れた位置で相互に繋がるように構成されてなる商品保護枠。
【請求項２】
前記支持片が中間の水平板部に対向する上下両側の水平板部に形成され、両支持片の先端部を中間の水平板部に設けた同じ差込み口に上下両側から挿嵌するように構成されてなる請求項１記載の商品保護枠。
【請求項３】
切り起こし状態で左右方向に沿う前記支持片の対と前後方向に沿う前記支持片の対とを有し、左右方向に沿う支持片の対が保護枠の前後の少なくとも一端側に設けられてなる請求項１又は２に記載の商品保護枠。
【請求項４】
中間の水平板部とその上側に対向する水平板部とを繋ぐ前記支持片が、中間の水平板部を底面とする製品収容凹部の側壁部を構成する請求項１〜３のいずれかに記載の商品保護枠。
【請求項５】
使用状態で上方に開く複数の大きさが異なる製品収容凹部を備え、これら製品収容凹部の少なくとも一つが中間の水平板部を底面とする請求項１〜４のいずれかに記載の商品保護枠。
【請求項６】
使用状態で中間の水平板部を底面とした浅い製品収容凹部と、最下段の水平板部を底面とした深い製品収容凹部とを備え、深い製品収容凹部の側壁の一部が中間の水平板部に設けられて先端部を最下段の水平板部の差込み口に挿嵌した支持片より構成されてなる請求項１〜５のいずれかに記載の商品保護枠。
【請求項７】
全体が一枚のシート材からなり、その折り曲げによって左右側板部及び複数段の水平板部が形成されてなる請求項１〜６のいずれかに記載の商品保護枠。
【発明の詳細な説明】
【技術分野】
【０００１】
この発明は、小型の電子機器類や精密機器類を始めとする種々の商品の梱包、特に商品を緩衝状態に固定して梱包するのに使用する商品保護枠に関する。
【背景技術】
【０００２】
一般的に、電子機器類や精密機器類の製品を出荷する際、搬送中や取扱い中に製品が傷むのを防止するために、その製品に対応する寸法形状の収容部を設けた発泡ポリスチロール製の商品嵌装パッドを用い、該収容部に製品を嵌め込んで緩衝状態に固定し、これを外箱に納めたり箱蓋を被せた状態で梱包する方法が多用されていた。しかるに、発泡ポリスチロール製の商品嵌装パッドは、金型によって成形するが、製品の形態及びサイズごとに異なる金型が必要になるから、金型を含めた製作コストが非常に高く付く上、廃棄する際の環境負荷が大きいといった問題があった。
【０００３】
そこで、近年において、段ボールや板紙等のシートを所定形状に打ち抜き、これを折り曲げて各部で係止することにより、製品収容部を備えた立体的な枠形の商品嵌装パッドを組み立てるようにしたものが提案されている（特許文献１，２）。
【特許文献１】特開２００１−２７８３５０号公報
【特許文献２】特開２００３−２６２４４号公報  しかしながら、これら提案に係る商品嵌装パッドは、構造的に複雑であり、シートから枠形に組み立てるのに非常に手間がかかることに加え、組立状態での剛性に乏しく変形し易いために商品の固定力が不充分であり、また商品が複数の製品パーツを１セットにしたものである場合、複数のパッドを組み合わせて用いる必要があり、それだけ梱包の作業性が低下すると共に梱包コストも高く付くという難点があった。
【発明の開示】
【発明が解決しようとする課題】
【０００４】
この発明は、上述の事情に鑑みて、商品の梱包に使用する商品保護枠として、未使用時の折畳み形態から使用時の製品収容凹所を備える箱枠形態に簡単な操作で容易に組み立てることができ、且つ箱枠形態での剛性が大きく形態安定性に優れ、商品を適度な緩衝状態で確実に固定でき、また商品が複数の製品パーツを１セットにしたものであっても、各製品パーツに対応した大きさの異なる複数の製品収容凹所を簡単に構成できるものを提供することを目的としている。
【課題を解決するための手段】
【０００５】
上記目的を達成するために、請求項１の発明は、左右側板部間に少なくとも上中下３段の水平板部が平行配置され、使用状態で中間の水平板部を底面として上方に開く製品収容凹部を備えた箱枠形態をなすと共に、未使用状態で全体が平行四辺形状に偏平化した折畳み形態になし得る商品保護枠であって、使用状態における中間の水平板部とその上下両側に対向する水平板部とが、それぞれ対向する一方側に設けた支持片の先端部を他方側に設けた差込み口に挿嵌することにより、前記の左右側板部から離れた位置で相互に繋がるように構成されてなるものとしている。
【０００６】
請求項２の発明は、上記請求項１の商品保護枠において、前記支持片が中間の水平板部に対向する上下両側の水平板部に形成され、両支持片の先端部を中間の水平板部に設けた同じ差込み口に上下両側から挿嵌するように構成している。
【０００７】
請求項３の発明は、上記請求項１又は２の商品保護枠において、切り起こし状態で左右方向に沿う前記支持片の対と前後方向に沿う前記支持片の対とを有し、左右方向に沿う支持片の対が保護枠の前後の少なくとも一端側に設けられてなるものとしている。
【０００８】
請求項４の発明は、上記請求項１〜３のいずれかの商品保護枠において、中間の水平板部とその上側に対向する水平板部とを繋ぐ前記支持片が、中間の水平板部を底面とする製品収容凹部の側壁部を構成するものとしている。
【０００９】
請求項５の発明は、上記請求項１〜４のいずれかの商品保護枠において、使用状態で上方に開く複数の大きさが異なる製品収容凹部を備え、これら製品収容凹部の少なくとも一つが中間の水平板部を底面とする構成としている。
【００１０】
請求項６の発明は、上記請求項１〜５のいずれかの商品保護枠において、使用状態で中間の水平板部を底面とした浅い製品収容凹部と、最下段の水平板部を底面とした深い製品収容凹部とを備え、深い製品収容凹部の側壁の一部が中間の水平板部に設けられて先端部を最下段の水平板部の差込み口に挿嵌した支持片より構成されてなるものとしている。
【００１１】
請求項７の発明は、上記請求項１〜６のいずれかの商品保護枠において、全体が一枚のシート材からなり、その折り曲げによって左右側板部及び複数段の水平板部が形成されてなるものとしている。
【発明の効果】
【００１２】
請求項１の発明に係る商品保護枠は、未使用時の嵩張らない偏平な折畳み形態から箱枠形態に転換して使用するが、左右側板部と少なくとも上中下３段の水平板部とが繋がった構造であるから、上下両側の支持片を折り付けて先端部を差込み口に挿嵌するだけで、確固とした箱枠形態に容易に転換できる。そして、この使用時の箱枠形態では、中間の水平板部が上下両側に対向する水平板部に対し、左右側板部から離れた位置において各々支持片を介して繋がっていることから、全体として剛性が大きく変形しにくい上、製品収容凹部の底面として製品重量を受ける中間の水平板部が上下両側から支持された形で撓みにくいため、該製品収容凹部に納めた製品が適度な緩衝状態で強固に固定され、もって該製品を運搬中や取扱い中の衝撃から確実に保護できる。
【００１３】
請求項２の発明によれば、中間の水平板部が上下両側から支持片によって挟持された形で撓みにくい上、上下両側の支持片の先端部が中間の水平板部の同じ差込み口に挿嵌することにより、挿嵌部での摩擦係着力が大きくなって互いに抜け止め作用を発揮し、それだけ使用時の箱枠形態での形態安定性が向上する。
【００１４】
請求項３の発明によれば、中間の水平板部と上下両側に対向する水平板部とが、左右方向に沿う支持片の対と前後方向に沿う支持片の対とで繋がり、且つ左右方向に沿う支持片の対が保護枠の前後の少なくとも一端側に設けられて、左右側板部と合わせて保護枠の四周の少なくとも３側辺に沿う垂直壁部を構成するため、保護枠全体としてより剛性が大きく変形しにくいものとなる。
【００１５】
請求項４の発明によれば、中間の水平板部と上側の対向する水平板部とを繋ぐ前記支持片が製品収容凹部の側壁部を構成するから、該支持片を折り付けて先端部を差込み口に挿嵌することにより、中間と上側の水平板部同士の連結と同時に製品収容凹部の形成を行え、使用時の箱枠形態の組立操作がより簡単になる。
【００１６】
請求項５の発明によれば、商品保護枠が複数の大きさが異なる製品収容凹部を備えるから、商品が複数の製品パーツを１セットにしたものである場合に支障なく対応できる。
【００１７】
請求項６の発明によれば、商品保護枠が浅い製品収容凹部と深い製品収容凹部とを備え、深い製品収容凹部の側壁の一部が中間の水平板部に設けた支持片より構成されるから、該支持片の先端部を最下段の水平板部の差込み口に挿嵌することにより、深い製品収容凹部の成形を行えると共に、該支持片によって中間と最下段の水平板部とが繋がるから、深い製品収容凹部に納めた製品の重量による最下段の水平板部の撓みが防止される。
【００１８】
請求項７の発明によれば、商品保護枠全体を一枚のシート材から安価に且つ容易に製作できる。
【発明を実施するための最良の形態】
【００１９】
以下に、この発明を携帯電話セット（携帯電話機本体、ＡＣアダプタ、充電用卓上ホルダーのセット）の梱包に用いる商品保護枠に適用した一実施形態について、図面を参照して具体的に説明する。図１は該商品保護枠に用いる打ち抜きシート、図２は該打ち抜きシートの折畳み形態と該シートから箱枠形態への組立操作、図３は商品保護枠を使用状態とする組立第一段階、図４は同組立第二段階、図５は同組立第三段階、図６は同組立第四段階、図７は同組立終了段階、をそれぞれ示す。
【００２０】
図１に示す打ち抜きシートＳは、原材の段ボールを商品保護枠とするための所要形状に打ち抜くと同時に折り目付け及び切り込みを行ったもので、左右方向に長い一枚物のシートからなり、中央に下側水平板部１、左側に中間水平板部２、右側に上側水平板部３が各々配置され、下側水平板部１と上側水平板部３との間に左側板部４が介在されると共に、上側水平板部３の右側に右側板部５が連設され、また下側水平板部１と中間水平板部２との間に幅狭の貼着用側板部６が介在されると共に、中間水平板部２の左側に幅狭の貼着用フラップ７が連設され、これら各部間が前後方向の折罫線ａ〜ｆで区切られている。しかして、上中下の水平板部１〜３は左右幅が略等しく前後に長い矩形をなしており、下側水平板部１の前後両縁には、該水平板部１と略等しい左右幅の端部支持片８，９が左右方向の折罫線ｇ，ｈを介して延設されている。
【００２１】
下側水平板部１には、前部寄りに位置して左右一対の舌片状の支持片１０，１０が切り込みによって形成され、また中央部の左右２ヵ所と前部寄りの１ヵ所とに弓形の差込み口１１が打ち抜き形成されている。また、中間水平板部２には、中央部で前後に向き合う支持片１２，１３が切り込みによって形成されると共に、前後縁の中央部各１ヵ所に弓形の差込み口１４ａ、中央部４ヵ所に同様の差込み口１４ｂ、前部寄りの左右２ヵ所に同様の差込み口１４ｃ、後部寄りの左右２ヵ所に同様の差込み口１４ｄが、それぞれ打ち抜き形成されている。
【００２２】
一方、上側水平板部３には、前後の２ヵ所に略矩形の開口部１５，１６を有し、これら開口部１５，１６の各々四周を取り囲むように、開口部１５側には４つの支持片１７〜２０が、同じく開口部１６側にも４つの支持片２１〜２４が、切り込みによって形成されている。そして、これら８つの支持片１７〜２４のうち、中央部に位置する支持片２０，２１を除く６つの支持片１７〜１９，２２〜２４は、いずれも開口部１５，１６に臨む側を先端側とした舌片状をなし、それらの基部側の折罫線ｉ，ｊが各々開口部１５，１６を三方から囲むコ字形に連続している。しかるに、中央部に位置する支持片２０，２１は、上側水平板部３の左右方向全幅にわたる幅を持ち、相互の対向側を先端側としている。なお、２５は両支持片２０，２１の先端部間に設けたスリット状打抜き部、２６は上側水平板部３の前縁側に設けた指掛け用開口部である。
【００２３】
しかして、支持片８〜１０，１２，１３，１７〜２４はいずれも先端側に一つ又は二つの差込み凸部８ａ〜１０ａ，１２ａ，１３ａ，１７ａ〜２４ａを有しており、それらに対応して下側水平板部１の各差込み口１１及び中間水平板部２の各差込み口１４ａ〜１４ｄの大きさと位置及び向きが設定されている。
【００２４】
このような打ち抜きシートＳは、商品保護枠としての出荷前には、貼着用側板部６と貼着用フラップ７の互いに反対側の面に剥離紙付きの両面接着テープＴを貼着し、そのままの平坦なシート形態もしくは図２（Ａ）の如く折罫線ｃ，ｅで三つ折りにした形態で保管される。そして、商品保護枠として出荷する際は、図２（Ｂ）の如く折罫線ａ〜ｆで折り曲げ、剥離紙を除去した両面接着テープＴにより、貼着用フラップ７と左側板部４、ならびに貼着用側板部６と右側板部５をそれぞれ貼着することにより、図２（Ｃ）及び図３（Ａ）の如く左右側板部４，５間に上中下３段の水平板部１〜３が平行配置した箱枠形態の商品保護枠Ｆとする。なお、この箱枠形態の商品保護枠Ｆは、折罫線ａ〜ｆでの折り曲げが可能であるから、保管や搬送においては図２（Ｃ）の仮想線で示す如く平行四辺形状に変形させて嵩張らない偏平な折畳み形態にすることができる。
【００２５】
そして、この商品保護枠Ｆを商品梱包つまり携帯電話セットの梱包に用いる際は、図３（Ｂ）に示すように、まず下側水平板部１の支持片１０，１０を下面側から指で押し上げ、その先端の差込み凸部１０ａを中間水平板部２の差込み口１４ｃに挿嵌させ、次いで下側水平板部３の支持片１７，１９を図示仮想線のように折り下げ、それらの差込み凸部１７ａ，１９ａを支持片１０が挿嵌した同じ差込み口１４ｃに挿嵌させる。
【００２６】
次いで、図４（Ａ）（Ｂ）に示すように、下側水平板部１の端部支持片８，９を折罫線ｇ，ｈで内側へ上向きに折り曲げ、それらの差込み凸部８ａ，９ａを中間水平板部２の対応する差込み口１４ａ，１４ａに挿嵌すると共に、同じ差込み口１４ａ，１４ａに上側水平板部１の折り下げた支持片１８，２３の差込み凸部１８ａ，２３ａを挿嵌し、更に上側水平板部３の支持片２２，２４も折り下げて、それらの差込み凸部２２ａ，２４ａを中間水平板部２の対応する差込み口１４ｄ，１４ｄに挿嵌する。
【００２７】
しかる後、図５に示すように、上側水平板部３の中央部の支持片２０，２１を折り下げ、それらの各二つの差込み凸部２０ａ，２０ａ、２１ａ，２１ｂをそれぞれ中間水平板部２の対応する差込み口１４ｂ，１４ｂに挿嵌すれば、商品保護枠Ｆの上面側に前後に並んだ３つの製品収容凹部Ｈ１〜Ｈ３が構成される。しかして、この状態での製品収容凹部Ｈ１〜Ｈ３はいずれも中間水平板部２を底面とする浅い形であるが、中央の製品収容凹部Ｈ２の底面には中間水平板部２に設けた支持片１２，１３が臨んでいる。
【００２８】
従って、更に図６に示すように両支持片１２，１３を折り下げ、図７（Ａ）（Ｂ）のように両支持片１２，１３の差込み凸部１２ａ，１３ａを下側水平板部１の差込み口１１，１１に挿嵌することにより、中央の製品収容凹部Ｈ２内に下側水平板部１を底面とした深い製品収容凹部Ｈ４が構成され、商品保護枠Ｆとしての組立てが完了する。
【００２９】
かくして組立てられた商品保護枠Ｆは、携帯電話セットの製品パーツとして、前部の製品収容凹部Ｈ１に携帯電話機本体、中央の製品収容凹部Ｈ２，Ｈ４にＡＣアダプタとコード、後部の製品収容凹部Ｈ３に充電用卓上ホルダーをそれぞれ納め、要すれば取扱い説明書等と共に、通常では全体を外箱に収容した状態で梱包するが、それ自体で後述のように確固とした箱枠形態を保ち得るため、そのままの状態や箱蓋を被せただけの状態で梱包することも可能である。
【００３０】
この商品を納めた商品保護枠Ｆでは、中間水平板部２が製品収容凹部Ｈ１，Ｈ３の底面ならびに製品収容凹部Ｈ２の段部として納めた製品パーツの重量を受けるが、この中間水平板部２と上下の水平板部１，３とが左右側板部４，５から離れた位置において支持片８，９，１０，１０，１７〜２４を介して繋がっていることから、該中間水平板部２が上下両側から支持された形で撓みにくい上、下側水平板部１を底面とする深い製品収容凹部Ｈ４においても前後で中間水平板部２から折り下げた支持片１２，１３が下側水平板部１に繋がり、これによって下側水平板部１の撓みが防止されるから、未使用時に偏平な折畳み形態になし得るにも関わらず、全体としての剛性が非常に大きく確固とした箱枠形態を維持でき、もって納めた製品パーツが適度な緩衝状態で強固に固定されて運搬中や取扱い中の衝撃から確実に保護される。
【００３１】
しかも、本実施形態では、前部側で支持片８，１８の対が、後部側で支持片９，２３の対が、それぞれ中間水平板部２に設けた同じ差込み口１４ａ，１４ａに上下両側から挿嵌し、更に重量の大きい携帯電話機本体を収容する製品収容凹部Ｈ１の左右両側でも、支持片１０，１８の対と支持片１０，１９の対が同様に中間水平板部２の同じ差込み口１４ｃ，１４ｃに上下両側から挿嵌しており、これら挿嵌部での摩擦係着力が大きくなって支持片同士を互いに抜けにくくしているから、使用中の箱枠形態が強固に保たれる。
【００３２】
一方、このような商品保護枠Ｆにおいては、中間水平板部２と上側水平板部３とを繋ぐ支持片１７〜２４が浅い製品収容凹部Ｈ１〜Ｈ３の側壁部を構成し、また中間水平板部２と下側水平板部１とを繋ぐ支持片１２，１３も深い製品収容凹部Ｈ４の側壁部を構成するから、これら支持片１２，１３，１７〜２４の折り付けて先端部を差込み口１１，１４ａ〜１４ｄに挿嵌する操作により、水平板部１〜３同士の連結と同時に製品収容凹部Ｈ１〜Ｈ３を形成でき、もって商品保護枠Ｆを使用状態とする組立操作が非常に簡単になる。
【００３３】
本発明に係る商品保護枠は、上記実施形態のような携帯電話セットの梱包用に限らず、小型の電子機器類や精密機器類を始めとする種々の商品の梱包に適用でき、その適用商品の形態及び製品パーツ構成に応じ、製品収容凹部の数と各々の形、水平板部の段数、支持片の設定位置等を設定できる。また、商品保護枠に用いるシート材料としては、段ボールの他、板紙やプラスチックシートも採用できる。
【００３４】
しかして、中間の水平板部を上下から支持する支持片の対については、商品保護枠の使用状態での剛性を確保する上で、左右方向に沿う支持片の対と前後方向に沿う支持片の対のように、互いに直交方向に沿う対を組み合わせることが望ましい。また、前記実施形態では左右方向に沿う支持片８，１８の対と支持片９，２３の対とを保護枠の前後縁に近い位置に設けているが、このように左右方向に沿う支持片の対を保護枠の前後の少なくとも一端側に設け、左右側板部４，５と合わせて保護枠の四周の少なくとも３側辺に沿う垂直壁部を構成すれば、保護枠全体としてより剛性が大きく変形しにくいものとなる。
【００３５】
また、中間の水平板部を２段以上（つまり全体の水平板部を４段以上）の多段にする場合は、各水平板部の要所に設けた支持片を下段側から順次に折り上げ、各々上位側の水平板部に設けた差込み口に先端部を挿嵌して順次に係止してゆく構成とすればよい。なお、差込み口については、実施形態のような弓形に打ち抜いたものに限らず、弧状や直線状のスリットとしたり、単なる切り込みにて形成する等、種々の形に設定できる。更に支持片の形や大きさについても種々設定できるが、差込み口に対する挿嵌度合を一定にして、且つ充分な支持強度を確保する上で、実施形態として例示した各支持片のように、先端側が肩付き形態、つまり差込み口に対する差込み凸部と差込み口へ挿嵌不能な両側の肩部を有する形態であることが望ましい。
【図面の簡単な説明】
【００３６】
【図１】この発明の一実施形態に係る商品保護枠に用いる打ち抜きシートの平面図である。
【図２】同打ち抜きシートを示し、（Ａ）図は三つ折りにした状態の縦断正面図、（Ｂ）図は箱枠形態とする際の折り付け状態を示す縦断正面図、（Ｃ）図は箱枠形態とした縦断正面図である。
【図３】同商品保護枠を使用状態とする組立第一段階を示し、（Ａ）図は斜視図、（Ｂ）図は（Ａ）図のＢ−Ｂ線の断面矢視図である。
【図４】同組立第二段階を示し、（Ａ）図は斜視図、（Ｂ）図は（Ａ）図のＢ−Ｂ線の断面矢視図である。
【図５】同組立第三段階における商品保護枠の斜視図である。
【図６】同組立第四段階における商品保護枠の斜視図である。
【図７】同組立組立終了段階の商品保護枠を示し、（Ａ）図は平面図、（Ｂ）図は（Ａ）図のＢ−Ｂ線の断面矢視図である。
【符号の説明】
【００３７】
Ｆ              商品保護枠
Ｈ１〜Ｈ３      浅い製品収容凹部
Ｈ４            深い製品収容凹部
Ｓ              打ち抜きシート
ａ〜ｊ          折罫線
１              上側水平板部
２              中間水平板部
３              下側水平板部
４              左側板部
５              右側板部
８，９          端部支持片
１０            支持片
１１            差込み口
１２，１３      支持片
１４ａ〜１４ｄ  差込み口
１７〜２４      支持片
【図１】
2006016040.tif 000003
【図２】
2006016040.tif 000004
【図３】
2006016040.tif 000005
【図４】
2006016040.tif 000006
【図５】
2006016040.tif 000007
【図６】
2006016040.tif 000008
【図７】
2006016040.tif 000009